(57)【要約】      （修正有）【課題】未了の電子コンテンツの閲覧等を失念することを防止できる電子コンテンツ出力装置を提供する。【解決手段】電源起動時に、若しくは閲覧終了時に、ＣＰＵ２１は、記憶部２３の管理情報を参照して、購入した電子コンテンツの中から進捗率が１００％未満の電子コンテンツのタイトルを抽出する。そして、ＣＰＵ２１は、抽出した１００％未満の電子コンテンツのタイトルを購入日が古い順に並び替える。この中で購入日が同じタイトルは進捗率が少ない順に並び替える。ＣＰＵ２１は、並び替えた順にタイトルを購入未了リストとして、表示部２４に表示する。【選択図】図２
2015169943.tif 000002
【特許請求の範囲】
【請求項１】
レンタルもしくは購入した電子コンテンツを記憶する記憶部と、
前記電子コンテンツの出力に伴って前記電子コンテンツを出力した進捗率を更新する更新部と、
前記進捗率に基づいて未了の電子コンテンツを抽出する抽出部と、
前記抽出部により前記未了の電子コンテンツがあった場合に、前記未了の電子コンテンツをレンタルもしくは購入が古い順に並べ替える並替部と、
前記並替部で並べ替えられた前記未了の電子コンテンツのタイトルを一覧表示する表示部とを備えることを特徴とする電子コンテンツ出力装置。
【請求項２】
請求項１に記載の電子コンテンツ出力装置において、
前記表示部は、電子コンテンツ出力装置の電源起動時に、前記並べ替えられた前記未了の電子コンテンツのタイトルを一覧表示することを特徴とする電子コンテンツ出力装置。
【請求項３】
請求項１に記載の電子コンテンツ出力装置において、
前記表示部は、電子コンテンツの閲覧終了時に、前記並べ替えられた前記未了の電子コンテンツのタイトルを一覧表示することを特徴とする電子コンテンツ出力装置。
【請求項４】
請求項１〜３のいずれか一項に記載の電子コンテンツ出力装置において、
前記表示部は、前記未了の電子コンテンツがあることを示すアイコンを表示し、当該アイコンが指定されると前記並べ替えられた前記未了の電子コンテンツのタイトルを一覧表示することを特徴とする電子コンテンツ出力装置。
【請求項５】
請求項１〜４のいずれか一項に記載の電子コンテンツ出力装置において、
前記一覧表示された前記未了の電子コンテンツのタイトルが指定されると、指定された電子コンテンツを出力する制御部を更に備えることを特徴とする電子コンテンツ出力装置。
【請求項６】
請求項１〜５のいずれか一項に記載の電子コンテンツ出力装置において、
前記表示部は、前記レンタルした前記未了の電子コンテンツのタイトルと前記購入した前記未了の電子コンテンツのタイトルとを識別して表示することを特徴とする電子コンテンツ出力装置。
【請求項７】
請求項１〜６のいずれか一項に記載の電子コンテンツ出力装置において、
前記表示部は、前記レンタルした前記未了の電子コンテンツのタイトルとレンタルの残り期日とを表示することを特徴とする電子コンテンツ出力装置。
【請求項８】
コンピュータに、
レンタルもしくは購入した電子コンテンツを記憶する記憶手順、
前記電子コンテンツの出力に伴って前記電子コンテンツを出力した進捗率を更新する更新手順、
前記進捗率に基づいて未了の電子コンテンツを抽出する抽出手順、
前記抽出手順により前記未了の電子コンテンツがあった場合に、前記未了の電子コンテンツをレンタルもしくは購入が古い順に並べ替える並替手順、
前記並替手順で並べ替えられた前記未了の電子コンテンツのタイトルを一覧表示する表示手順を実行させるための電子コンテンツ出力プログラム。
【発明の詳細な説明】
【技術分野】
【０００１】
本発明は、電子書籍などの電子コンテンツを出力する電子コンテンツ出力装置および電子コンテンツ出力プログラムに関する。
【背景技術】
【０００２】
電子書籍などの電子コンテンツをダウンロードして読書端末にセットし、読書端末で電子書籍を閲覧することが行われている。そして、ユーザがレンタルした電子コンテンツは、一定期間で消滅するように、予め電子コンテンツに仕掛けが施されている（特許文献１）。
【先行技術文献】
【特許文献】
【０００３】
【特許文献１】特開２００２−１８９９５８号公報
【発明の概要】
【発明が解決しようとする課題】
【０００４】
しかし、従来では、閲覧等が未了の電子コンテンツを報知していないため、電子コンテンツの閲覧等を未了のまま失念する虞がある。
【課題を解決するための手段】
【０００５】
請求項１に記載の電子コンテンツ出力装置は、レンタルもしくは購入した電子コンテンツを記憶する記憶部と、電子コンテンツの出力に伴って電子コンテンツを出力した進捗率を更新する更新部と、進捗率に基づいて未了の電子コンテンツを抽出する抽出部と、抽出部により未了の電子コンテンツがあった場合に、未了の電子コンテンツをレンタルもしくは購入が古い順に並べ替える並替部と、並替部で並べ替えられた未了の電子コンテンツのタイトルを一覧表示する表示部とを備えることを特徴とする。
請求項８に記載の電子コンテンツ出力プログラムは、コンピュータに、レンタルもしくは購入した電子コンテンツを記憶する記憶手順、電子コンテンツの出力に伴って進捗率を更新する更新手順、進捗率に基づいて未了の電子コンテンツを抽出する抽出手順、抽出手順により未了の電子コンテンツがあった場合に、未了の電子コンテンツをレンタルもしくは購入が古い順に並べ替える並替手順、並替手順で並べ替えられた未了の電子コンテンツのタイトルを一覧表示する表示手順を実行させる。
【発明の効果】
【０００６】
本発明によれば、未了の電子コンテンツの閲覧等を失念することを防止できる。
【図面の簡単な説明】
【０００７】
【図１】全体システム構成図である。
【図２】電子コンテンツ出力装置の回路構成図である。
【図３】電子コンテンツ出力装置の正面図である。
【図４】記憶部内の管理情報を示す図である。
【図５】電子コンテンツのダウンロードを示すフローチャートである。
【図６】電子コンテンツの表示を示すフローチャートである。
【図７】未了アイコンの表示状態を示す図である。
【図８】未了リストの表示状態を示す図である。
【発明を実施するための形態】
【０００８】
図１は、本発明の一実施の形態に係わる全体システム構成図である。
電子コンテンツ出力装置１１は、インターネット網１２を介して、ショッピングサイトを開設しているショッピングサーバ１３に接続される。ショッピングサーバ１３は、インターネット網１２を介して、買い物をしたユーザが決済を行う決済サーバ１４に接続される。
【０００９】
電子コンテンツ出力装置１１は、電子書籍端末装置、音楽や動画の再生端末装置などであり、電子書籍、音楽、動画などの電子コンテンツを出力する。以下の説明では、電子コンテンツ出力装置１１は、電子書籍端末装置である場合を例に説明する。
【００１０】
ショッピングサーバ１３は、例えば、Apache HTTP Serverなどの、いわゆるWebサーバプログラムを実行することにより実現され、HTTP（Hypertext Transfer Protocol）に規定される手順に基づいて、テキストまたは画像などの各種のオブジェクトが含まれるHTML（Hypertext Markup Language）方式またはXML（Extensible Markup Language）方式などのウェブページにより電子コンテンツのショッピングサイトを提供する。
【００１１】
決済サーバ１４は、ショッピングサイトでユーザが電子コンテンツをレンタルもしくは購入すると、その情報を受けて、ユーザのクレジットカード等に基づいて決済を行う。
【００１２】
図２は、電子コンテンツ出力装置１１の回路構成図である。
ＣＰＵ２１は、後述のフローチャートで示すプログラムを実行し、電子コンテンツのうち未了の電子コンテンツが有ればこれを報知する等の処理を行う。ＣＰＵ２１は、バスライン２２を介して、記憶部２３、表示部２４、入力部２５、通信部２６が接続される。なお、図２は、電子コンテンツ出力装置１１が、電子書籍端末装置である場合の構成であるが、電子コンテンツ出力装置１１が音楽や動画の再生端末装置である場合は、音楽や動画を再生出力する出力部を有する。
【００１３】
記憶部２３は、不揮発性のメモリにより構成され、上述のプログラムを記憶する他、ＣＰＵ２１のワークエリアとして機能する。また、記憶部２３は、ダウンロードされた電子コンテンツを記憶するとともに、電子コンテンツのレンタル期限日等の管理情報を記憶する。表示部２４は、電子書籍などの電子コンテンツを表示する。入力部２５は、電源ボタンの他、表示部２４の前面に積層して設けられたタッチパネルを含み、ユーザのタッチ操作を受け付ける。通信部２６は、インターネット網１２に接続される。
【００１４】
図３は、電子コンテンツ出力装置１１の正面図である。電源ボタン２５ａを操作して電子コンテンツ出力装置１１の電源を起動して、表示部２４に電子書籍などの電子コンテンツを表示している状態を示している。表示部２４の頁を縦に略三等分した左側の領域をタッチ操作すると次頁に、頁を縦に略三等分した右側の領域をタッチ操作すると前頁に電子コンテンツの表示頁が切り替わる。また、頁を縦に略三等分した真中の領域をタッチ操作すると各種のメニューが表示され、例えば、記憶している電子コンテンツの一覧リストを表示して、この一覧リストの中から新たに表示したい電子コンテンツを選択して表示することができる。また、各種のメニューの中には閲覧の終了を指定するメニューがあり、このメニューを操作すると、表示している電子コンテンツを閉じて終了する。
【００１５】
図４は、記憶部２３内の管理情報を示す図である。管理情報は、記憶部２３内に記憶している電子コンテンツと対応して記憶され、タイトル２３ａ、レンタル開始日２３ｂ、レンタル期限日２３ｃ、購入日２３ｄ、進捗率２３ｅからなる。タイトル２３ａは電子コンテンツの表題であり、書籍名、音楽名、動画名などである。レンタル開始日２３ｂは、電子コンテンツがレンタルの場合に、その電子コンテンツをショッピングサイトからダウンロードしてレンタルを開始した日付が記憶される。レンタル期限日２３ｃは、電子コンテンツがレンタルの場合に、電子コンテンツに応じてショッピングサイトで予め定められているレンタルの終了期限である。なお、電子コンテンツはレンタル期限日２３ｃを過ぎると消去されるか、閲覧等が不可能に設定されている。購入日２３ｄは、電子コンテンツがレンタルではなく購入の場合に、その電子コンテンツをショッピングサイトからダウンロードして購入した日付が記憶される。進捗率２３ｅは、電子コンテンツの全体に対する閲覧済みの割合である。例えば、電子コンテンツが電子書籍の場合は、全頁に対する閲覧済の頁の割合である。電子書籍をダウンロードしてから一度も閲覧していなければ進捗率２３ｅは０％であり、最終頁まで閲覧したら進捗率２３ｅは１００％である。進捗率２３ｅが１００％未満はまだその電子書籍を読了していない未了の状態である。
【００１６】
以下、一実施の形態の電子コンテンツ出力装置１１の動作を、図５、図６に示すフローチャートを参照して説明する。
【００１７】
図５は、電子コンテンツ出力装置１１が電子コンテンツをダウンロードする場合の動作を示すフローチャートである。このフローチャートで示すプログラムは記憶部２３に記憶され、ＣＰＵ２１がこのプログラムを読み出して実行する。
【００１８】
ユーザは電子コンテンツ出力装置１１を用いてショッピングサーバ１３が提供しているショッピングサイトにアクセスし、ＩＤ、パスワードを入力して、ショッピングサイトにログインする。すると、ステップＳ１１で、ＣＰＵ２１は、ショッピングサーバ１３が提供しているショッピングサイトを受信して表示し、ユーザが閲覧できるようにする。
【００１９】
ステップＳ１２で、ＣＰＵ２１は、ショッピングサイトを閲覧したユーザが、電子コンテンツをレンタル若しくは購入する操作に応答して、その電子コンテンツをショッピングサーバ１３からダウンロードする。電子コンテンツのレンタルは有料であり、レンタル期限日が設定されているものとし、電子コンテンツの購入は有料、若しくは無料であり、閲覧等の期限日は設定されていないものとする。なお、有料の電子コンテンツをレンタル若しくは購入した場合は、購入した情報がショッピングサーバ１３から決済サーバ１４へ送られ、決済サーバ１４はクレジットカード等に基づいて決済を行う。
【００２０】
ステップＳ１３で、ＣＰＵ２１は、ダウンロードした電子コンテンツを記憶部２３に記憶する。そして、ステップＳ１４で、ダウンロードした電子コンテンツに対応する管理情報を記憶部２３に記憶する。ダウンロードした電子コンテンツがレンタルの場合は、図４に示すように、管理情報は、タイトル２３ａ、レンタル開始日２３ｂ、レンタル期限日２３ｃ、進捗率２３ｅが記憶される。ダウンロードした電子コンテンツが購入の場合は、図４に示すように、管理情報は、タイトル２３ａ、購入日２３ｄ、進捗率２３ｅが記憶される。いずれの場合も電子コンテンツをダウンロードした直後は、進捗率２３ｅは０が記憶される。
【００２１】
図６は、電子コンテンツ出力装置１１が電子コンテンツを表示する場合の動作を示すフローチャートである。このフローチャートで示すプログラムは記憶部２３に記憶され、ＣＰＵ２１がこのプログラムを読み出して実行する。電源ボタン２５ａを操作して電子コンテンツ出力装置１１の電源を起動すると、ＣＰＵ２１は、図６に示すフローチャートの処理を開始する。
【００２２】
電子コンテンツ出力装置１１の電源が起動されると、ステップＳ２１で、ＣＰＵ２１は、記憶部２３内の管理情報から進捗率２３ｅを読出し、進捗率が１００％未満の電子コンテンツが有るかを判別する。すなわち、図４に示す管理情報の進捗率２３ｅが１００％未満の電子コンテンツは、まだ、閲覧等が完了していないものである。進捗率が１００％未満の電子コンテンツが有る場合は、そのことを報知するために、図７に示すように、ステップＳ２２で、ＣＰＵ２１は、表示部２４の右下に未了アイコン２４ａを表示する。
【００２３】
そして、ステップＳ２３で、ＣＰＵ２１は、表示部２４に電子コンテンツのタイトルリスト２４ｂを表示する。このタイトルリスト２４ｂは、レンタル開始日若しくは購入日が新しい順のリストであり、各リストには、タイトル、進捗率、レンタル開始日若しくは購入日、レンタルか購入かを識別する識別子Ｒ若しくはＢを表示する。識別子Ｒはこの電子コンテンツがレンタルであることを、識別子Ｂはこの電子コンテンツが購入であることを示す。
【００２４】
図７に示すように、未了アイコン２４ａはタイトルリスト２４ｂの上に重ね合わせて表示される。未了アイコン２４ａは、点滅表示させたり、反転表示させたりして、タイトルリスト２４ｂより目立つように表示してもよい。ユーザは表示された未了アイコン２４ａにより、未了の電子コンテンツが有ることを知ることができる。
【００２５】
ステップＳ２４で、ＣＰＵ２１は、未了アイコン２４ａがタッチ操作されたかを判別する。未了アイコン２４ａがタッチ操作されていなければ、ステップＳ２５で、ＣＰＵ２１は、タイトルリスト２４ｂのいずれかのタイトルがタッチ操作されたかを判別する。タイトルリスト２４ｂがタッチ操作されていなければ、ステップＳ２４に戻り、未了アイコン２４ａのタッチ操作を判別する。
【００２６】
ステップＳ２５で、タイトルリスト２４ｂのいずれかのタイトルがタッチ操作された場合は、ステップＳ２６に進み、ＣＰＵ２１は、タッチ操作で指定されたタイトルの電子コンテンツを開き、ステップＳ２７で、ＣＰＵ２１は、タイトルリスト２４ｂを閉じる。そして、ステップＳ２８で、ＣＰＵ２１は、図３に示すように、表示部２４に電子コンテンツを表示する。電子コンテンツが音楽や動画の場合は電子コンテンツを再生する。電子コンテンツの表示や再生を総称して電子コンテンツを出力すると称する。
【００２７】
上記ステップＳ２１で、進捗率が１００％未満の電子コンテンツがなかった場合は、ステップＳ２９に進み、ＣＰＵ２１は、タイトルリスト２４ｂを表示する。このタイトルリスト２４ｂは、レンタル開始日若しくは購入日が新しい順のリストであり、各リストはタイトル、進捗率、レンタル開始日若しくは購入日、レンタルか購入かを識別する識別子Ｒ若しくはＢを表示する。なお、タイトルリスト２４ｂは、上下にフリック操作することにより上下にスクロール表示される。
【００２８】
そして、ステップＳ３０で、タイトルリスト２４ｂのいずれかのタイトルがタッチ操作された場合は、ステップＳ２６に進み、タッチ操作されていない場合は、ステップＳ３０に戻り、タッチ操作が行われるのを待つ。
【００２９】
図３に示すように、表示部２４に電子コンテンツが表示されている状態で、ステップＳ３１において、ＣＰＵ２１は、表示部２４の頁の左側の領域がタッチ操作されて次頁の指定が行われたかを判別する。次頁の指定が行われた場合は、ステップＳ３２で、ＣＰＵ２１は、電子コンテンツの次頁を表示する。そして、ステップＳ３３で、ＣＰＵ２１は、記憶部２３内の管理情報の進捗率２３ｅを更新する。具体的には、表示部２４に表示している電子コンテンツに対応する管理情報の進捗率２３ｅを、［現在の頁／全体の頁］で算出し、その算出結果を進捗率２３ｅに記憶する。表示部２４に現在表示されている現在の頁が読み終えた最終頁と見做す。その後、ステップＳ３４へ進む。ステップＳ３１において、次頁の指定が行われていない場合も、ステップＳ３４へ進む。
【００３０】
表示部２４に電子コンテンツが表示されている状態で、ステップＳ３４において、ＣＰＵ２１は、表示部２４の頁の右側の領域がタッチ操作されて前頁の指定が行われたかを判別する。前頁の指定が行われた場合は、ステップＳ３５で、ＣＰＵ２１は、電子コンテンツの前頁を表示する。そして、ステップＳ３６で、ＣＰＵ２１は、記憶部２３内の管理情報の進捗率２３ｅを更新する。その後、ステップＳ３７へ進む。ステップＳ３４において、前頁の指定が行われていない場合も、ステップＳ３７へ進む。
【００３１】
ステップＳ３７において、ＣＰＵ２１は、表示部２４の頁の真中の領域がタッチ操作されてメニューが表示され、そのメニューの中の終了の指定が行われたかを判別する。終了の指定が行われていなければステップＳ２８に戻り、電子コンテンツを継続して表示する。終了の指定が行われていれば、すなわち、電子コンテンツの閲覧終了時に、電子コンテンツの表示を閉じて、ステップＳ２１に戻り、進捗率が１００％未満の電子コンテンツが有るかを再び判別する。
【００３２】
上記ステップＳ２４で、未了アイコン２４ａがタッチ操作されると、ステップＳ３８に進む。ステップＳ３８で、ＣＰＵ２１は、図４に示す記憶部２３の管理情報を参照して、レンタルした電子コンテンツの中から進捗率が１００％未満の電子コンテンツのタイトルを抽出する。抽出したタイトルは記憶部２３の所定の領域に記憶する。レンタルした電子コンテンツは、レンタル期限日が記憶されており、これを基にレンタルした電子コンテンツであると判別して抽出する。
【００３３】
そして、ステップＳ３９で、ＣＰＵ２１は、抽出した進捗率が１００％未満の電子コンテンツのタイトルをレンタル期限日が現在日付に近い順に並び替える。この中でレンタル期限日が同じタイトルは進捗率が少ない順に並び替える。ステップＳ４０で、ＣＰＵ２１は、レンタル期限日と現在の日付を基にレンタル残り日数を算出する。次のステップＳ４１で、ＣＰＵ２１は、ステップＳ３９で並び替えた順にタイトルをレンタル未了リスト２４ｃとして、図８に示すように表示部２４に表示する。具体的には、レンタル期限日が近いタイトルがレンタル未了リスト２４ｃの上位に来るように表示する。レンタル未了リスト２４ｃの各リストには、タイトル、進捗率、レンタル残り日数が表示される。なお、レンタル未了リスト２４ｃの各リストには、タイトル、進捗率、レンタル残り日数を、レンタル開始日が古い順に表示してもよい。また、レンタル未了リスト２４ｃは、上下にフリック操作することにより上下にスクロール表示される。
【００３４】
次のステップＳ４２で、ＣＰＵ２１は、図４に示す記憶部２３の管理情報を参照して、購入した電子コンテンツの中から進捗率が１００％未満の電子コンテンツのタイトルを抽出する。抽出したタイトルは記憶部２３の所定の領域に記憶する。購入した電子コンテンツは、購入日が記憶されており、これを基に購入した電子コンテンツであると判別して抽出する。
【００３５】
そして、ステップＳ４３で、ＣＰＵ２１は、抽出した１００％未満の電子コンテンツのタイトルを購入日が古い順に並び替える。この中で購入日が同じタイトルは進捗率が少ない順に並び替える。次のステップＳ４４で、ＣＰＵ２１は、ステップＳ４３で並び替えた順にタイトルを購入未了リスト２４ｄとして、図８に示すように表示部２４に表示する。具体的には、購入日が古いタイトルが購入未了リスト２４ｄの上位に来るように表示する。購入未了リスト２４ｄの各リストには、タイトル、進捗率、購入日が表示される。なお、購入未了リスト２４ｄは、上下にフリック操作することにより上下にスクロール表示される。
【００３６】
図８に示すように、レンタル未了リスト２４ｃおよび購入未了リスト２４ｄが表示されるので、ユーザは未了の電子コンテンツであって、レンタル期限日が近いものや購入日が古いものを適切に確認することにより、未了の電子コンテンツの閲覧等を失念することを防止できる。また、レンタル未了リスト２４ｃおよび購入未了リスト２４ｄを識別して表示しているので、ユーザはレンタルの電子コンテンツであるか、購入の電子コンテンツであるかを明確に区別することができる。
【００３７】
次のステップＳ４５で、ＣＰＵ２１は、レンタル未了リスト２４ｃ若しくは購入未了リスト２４ｄのいずれかのタイトルがタッチ操作により指定されたかを判別する。指定されていなければ、ステップＳ４６で、ＣＰＵ２１は、レンタル未了リスト２４ｃおよび購入未了リスト２４ｄを閉じるボタン２４ｅがタッチ操作により指定されたかを判別する。ボタン２４ｅが指定されていなければステップＳ４５に戻る。
【００３８】
ステップＳ４５で、レンタル未了リスト２４ｃ若しくは購入未了リスト２４ｄのいずれかのタイトルがタッチ操作により指定された場合は、ステップＳ４７に進み、ＣＰＵ２１は、指定されたタイトルと対応する電子コンテンツを開く。そして、ステップＳ４８で、ＣＰＵ２１は、レンタル未了リスト２４ｃおよび購入未了リスト２４ｄの表示を閉じて、ステップＳ２８に進み、開いた電子コンテンツを表示する。電子コンテンツが音楽や動画の場合は電子コンテンツを再生する。
【００３９】
ステップＳ４６で、ボタン２４ｅが指定されたことが判別されると、ステップＳ４９で、ＣＰＵ２１は、レンタル未了リスト２４ｃおよび購入未了リスト２４ｄの表示を閉じて、ステップＳ２９に進み、レンタル開始日若しくは購入日が新しい順のタイトルリスト２４ｂを表示する。
【００４０】
（変形例）
本発明は、以上説明した一実施の形態を次のように変形して実施することができる。
（１）未了アイコン２４ａは、電源起動時に、若しくは電子コンテンツの閲覧を終了したときに表示するようにした。しかし、電子コンテンツの閲覧中あるいは電子コンテンツを視聴中であっても、一定時間以上の中断時間が検出された時に表示してもよい。
【００４１】
（２）進捗率１００％未満の電子コンテンツを未了として表示するようにした。しかし、例えば、進捗率０％の電子コンテンツを未了として表示してもよい。すなわち、レンタルや購入して一度も電子コンテンツを出力（表示、再生等）していないものを表示してもよい。また、購入した電子コンテンツについて、進捗率が所定値未満の少ないものを未了として表示してもよい。
【００４２】
（３）未了の電子コンテンツがあることを示す未了アイコンを１つ表示した。しかし、レンタルで未了の電子コンテンツがあることを示す未了アイコンと、購入で未了の電子コンテンツがあることを示す未了アイコンとをそれぞれ表示してもよい。レンタルの未了アイコンを指定するとレンタルの未了の電子コンテンツのリストを表示し、購入の未了アイコンを指定すると購入の未了の電子コンテンツのリストを表示する。
【００４３】
（４）未了アイコン２４ａを表示し、この未了アイコン２４ａを指定すると、レンタル未了リスト２４ｃおよび購入未了リスト２４ｄを表示するようにした。しかし、未了アイコン２４ａの表示を省略し、未了の電子コンテンツが有れば直ちにレンタル未了リスト２４ｃおよび購入未了リスト２４ｄを表示するようにしてもよい。
【００４４】
（５）未了の電子コンテンツのリストを表示において、進捗率が低い電子コンテンツのタイトルは強調して表示するなど、他のタイトルと識別して表示してもよい。
【００４５】
（６）未了の電子コンテンツをレンタルが古い順に並べ替えて未了の電子コンテンツのタイトルを一覧表示する例で説明したが、レンタルの場合はレンタル期限が近いものをレンタルが古いものとして、順に並べ替えて一覧表示してもよい。
【００４６】
以上説明した実施の形態によれば、次の作用効果が得られる。
（１）電子コンテンツ出力装置１１は、レンタルもしくは購入した電子コンテンツを記憶する記憶部２３と、電子コンテンツの出力（表示、再生等）に伴って電子コンテンツを出力した進捗率を更新する更新部（ＣＰＵ２１、ステップＳ３３、ステップＳ３６）と、進捗率に基づいて未了の電子コンテンツを抽出する抽出部（ＣＰＵ２１、ステップＳ２１、ステップＳ３８、ステップＳ４２）と、抽出部により未了の電子コンテンツがあった場合に、未了の電子コンテンツをレンタルもしくは購入が古い順に並べ替える並替部（ＣＰＵ２１、ステップＳ３９、ステップＳ４３）と、並替部で並べ替えられた未了の電子コンテンツのタイトルを一覧表示する表示部（ＣＰＵ２１、ステップＳ４１、ステップＳ４４）とを備える。したがって、レンタルもしくは購入日が古いものを適切に確認することにより、未了の電子コンテンツの閲覧等を失念することを防止できる。
【００４７】
本発明は、上記の実施の形態に限定されるものではなく、本発明の特徴を損なわない限り、本発明の技術思想の範囲内で考えられるその他の形態についても、本発明の範囲内に含まれる。また、上述の実施の形態と複数の変形例を組み合わせた構成としてもよい。
【符号の説明】
【００４８】
１１  電子コンテンツ出力装置
１２  インターネット網
１３  ショッピングサーバ
１４  決済サーバ
２１  ＣＰＵ
２３  記憶部
２４  表示部
２５  入力部
２６  通信部
【図１】
2015169943.tif 000003
【図２】
2015169943.tif 000004
【図３】
2015169943.tif 000005
【図４】
2015169943.tif 000006
【図５】
2015169943.tif 000007
【図６】
2015169943.tif 000008
【図７】
2015169943.tif 000009
【図８】
2015169943.tif 000010